(57)【特許請求の範囲】
【請求項１】
装飾体を保持する第１および第２の装飾部品と棒状に延びる接続部品とを交互に接続することにより一本の紐状に延びる接続体に形成するとともに、前記接続体の両端部にそれぞれ接続された雄側連結部品と雌側連結部品とを互いに連結することにより前記接続体を環状に保持可能な装身具であって、
前記接続部品は、
棒状に延びる本体部分と、
前記本体部分の両端部からそれぞれ連設された前記本体部分よりも幅狭の一対の連設部分と、
前記本体部分の長手方向軸線に対して垂直な方向に延びるように前記連設部分にそれぞれ突設された一対の軸部分と、
前記本体部分と前記連設部分との境界に形成された段差面と、を有し、
前記第１の装飾部品は、
前記装飾体を保持する上側部材と、
前記上側部材に組み付けられたときに前記接続部品の軸部分が前記上側部材の軸線に対して垂直な方向に延びるように前記軸部分を収納する内部空間を前記上側部材とともに形成し、かつ前記内部空間に収納した前記軸部分の軸線の周りに前記接続部材が揺動できるように前記接続部品の連設部分が嵌装される切り欠きを具備した第１の下側部材と、
を有し、
前記第２の装飾部品は、
前記上側部材と、
前記上側部材に組み付けられたときに前記接続部品の軸部分が前記上側部材の軸線に対して平行な方向に延びるように前記軸部分を収納する内部空間を前記上側部材とともに形成し、かつ前記内部空間に収納した前記軸部分の軸線の周りに前記接続部材が揺動できるように前記接続部品の連設部分が嵌装される切り欠きを具備した第２の下側部材と、
を有し、
前記接続体の両端部側に前記第１の装飾部品が配設されるとともに、前記接続体の長手方向中央部に前記第２の装飾部品が配設される
ことを特徴とする装身具。
【請求項２】
前記上側部材は、前記第１の下側部材のねじ部および前記第２の下側部材のねじ部に螺合することができるねじ部を有していることを特徴とする請求項１に記載した装身具。
【請求項３】
前記接続部品の段差面は、前記接続部品の軸部分が前記第１および前記第２の装飾部品の内部空間内に収納されたときに、前記第１および前記第２の装飾部品の外側表面に対してわずかな隙間を開けて対向することを特徴とする請求項１または２に記載した装身具。
【請求項４】
前記雌側連結部品は、その中心部に挿通孔を有した環状に形成され、
かつ前記雄側連結部品は、前記雌側連結部品の挿通孔内に同軸に挿通される円柱状の本体部分と、前記本体部分の挿通方向後側の端部に同軸に固定された前記本体部分よりも直径の大きい円盤部分と、を有する
ことを特徴とする請求項１乃至３のいずれかに記載した装身具。
【請求項５】
前記円盤部分には、その軸線に対して半径方向外側に延びるレバーが固定されていることを特徴とする請求項４に記載した装身具。
【請求項６】
前記レバーには、前記接続部品の軸部分が同軸に接続されていることを特徴とする請求項５に記載した装身具。
【発明の詳細な説明】
【０００１】
【発明の属する技術分野】
本発明は、複数の装飾部品を接続したネックレスやブレスレット等の装身具に関し、より詳しくは、外観品質および生産性をより一層向上させることができるとともに、着用時には装飾部品が確実に正面に向くように改良された装身具に関する。
【０００２】
【従来の技術】
従来、ネックレスやブレスレット等の装身具は、複数の装飾部品を接続することにより一本の紐状に形成されるともに、その両端部に接続された連結部品同士を互いに連結することにより環状に保持できるようになっている。
【０００３】
ところで、首に掛けられたネックレスは、首の後ろにおいては斜め上方に凸となるように湾曲するが、肩の部分においては上方に凸となるように湾曲し、胸の部分においては下方に凸となるように湾曲する等、その部位によって湾曲方向が異なる。
このとき、真珠のように球状の装飾部品を接続して形成したネックレスにおいては装飾部品の正面方向が特定されないため、ネックレスがどのように湾曲しても装飾部品の向く方向が問題になることはない。
【０００４】
ところが、図１２に示した実開平３−６４０１３号公報に開示されているネックレス１のように、円盤状保持部材２の一方の側面に宝石等の装飾体３を保持した装飾部品を接続して紐状に形成するとともにその両端に接続された連結部品４同士を連結して環状に保持される装身具においては、装飾体３の正面方向が特定されてしまう。
これにより、図１２中にＡ部として示した首や肩に対応する部分において装飾体３が裏返ったり、Ｂ部として示した胸の部分において装飾体３が下方を向いたりしたのでは、装身具としての機能が損なわれてしまう。
【０００５】
そこで、このネックレス１においては、図１３に示したように円盤状保持部材２の側面から半径方向外側に延びるフック状の止め金５を、Ａ部においては円盤状保持部材２の側面に対して直角方向に湾曲させて隣接する円盤状保持部材２の係止孔６に係合させ、図１３中に矢印Ｃで示したように縦折れ可能としている。
これに対して、図１４に示したように、Ｂ部においてはフック状の止め金５を円盤状保持部材２の側面に対して平行に湾曲させて隣接する円盤状保持部材２の上下一対の基板２ａ，２ｂ間で上下方向に延びるポスト７に係合させ、図１４中に矢印Ｄで示したように横折れ可能としている。
これにより、このネックレス１は、Ａ部においては縦折れするので首や肩の部分で装飾体３が裏返ることを防止できるとともに、Ｂ部においては横折れするので胸の部分において装飾体３が確実に前方を向くようにすることができる。
【０００６】
一方、図１５に示した特開２０００−７００１８号公報に開示されているネックレス１０は、複数の本体部分１１および連結部材１２を交互に接続したものを図１２に示したＢ部において用いるようになっている。本体部分１１は、対向する一対の側壁１３，１４によって上方に開口する箱状に形成されるとともに、その長手方向の側面には挿通部１５が形成され、かつ本体部分の底部からは長手方向に延びる突起片１６が突設されている。
連結部材１２は、幅の狭い中間部１２ａが挿通部１５内に挿通されるとともに、幅広の端部１２ｂが本体部分１１の内部で底面上に横たわっている。
これにより、連結部材１２は、図１５中に矢印Ｃで示した縦折れ方向には揺動できないが矢印Ｄで示した横折れ方向には揺動することができるため、胸の部分において本体部分１１が確実に前方を向くようにすることができる。
【０００７】
【発明が解決しようとする課題】
しかしながら、上述した実開平３−６４０１３号公報に開示されているネックレス１は、フック状の止め金５の湾曲方向をＡ部およびＢ部においてそれぞれ変更しつつ、係止孔６およびポスト７にそれぞれ係合させる構造であり、その生産性が極めて低い。
また、フック状の止め金５が外部に露出しており、外観品質を向上させることが困難である。
【０００８】
また、上述した特開２０００−７００１８号公報に開示されているネックレス１０は、本体部分１１に対する連結部材１２の組み付けが困難であり、その生産性が極めて低い。  さらに、この構造においては連結部材１２を縦折れ方向に揺動させることができないため、首や肩に対応する図１２のＡ部に用いることができない。
【０００９】
そこで本発明の目的は、上述した従来技術が有する問題点を解消し、外観品質および生産性を大幅に向上させることができるとともに、着用時には装飾部品が確実に正面に向くように改良された、ネックレスやブレスレット等の装身具を提供することにある。
【００１０】
【課題を解決するための手段】
上記の課題を解決する請求項１に記載の手段は、装飾体を保持する第１および第２の装飾部品と棒状に延びる接続部品とを交互に接続することにより一本の紐状に延びる接続体に形成するとともに、前記接続体の両端部にそれぞれ接続された雄側連結部品と雌側連結部品とを互いに連結することにより前記接続体を環状に保持可能な装身具であって、
前記接続部品は、棒状に延びる本体部分と、前記本体部分の両端部からそれぞれ連設された前記本体部分よりも幅狭の一対の連設部分と、前記本体部分の長手方向軸線に対して垂直な方向に延びるように前記連設部分にそれぞれ突設された一対の軸部分と、前記本体部分と前記連設部分との境界に形成された段差面と、を有し、
前記第１の装飾部品は、前記装飾体を保持する上側部材と、前記上側部材に組み付けられたときに前記接続部品の軸部分が前記上側部材の軸線に対して垂直な方向に延びるように前記軸部分を収納する内部空間を前記上側部材とともに形成し、かつ前記内部空間に収納した前記軸部分の軸線の周りに前記接続部材が揺動できるように前記接続部品の連設部分が嵌装される切り欠きを具備した第１の下側部材と、を有し、
前記第２の装飾部品は、前記上側部材と、前記上側部材に組み付けられたときに前記接続部品の軸部分が前記上側部材の軸線に対して平行な方向に延びるように前記軸部分を収納する内部空間を前記上側部材とともに形成し、かつ前記内部空間に収納した前記軸部分の軸線の周りに前記接続部材が揺動できるように前記接続部品の連設部分が嵌装される切り欠きを具備した第２の下側部材と、を有し、
前記接続体の両端部側に前記第１の装飾部品が配設されるとともに、前記接続体の長手方向中央部に前記第２の装飾部品が配設されることを特徴としている。
【００１１】
また、請求項２に記載した手段は、請求項１に記載した装身具において、前記上側部材は、前記第１の下側部材のねじ部および前記第２の下側部材のねじ部に螺合することができるねじ部を有していることを特徴としている。
【００１２】
また、請求項３に記載した手段は、請求項１または２に記載した装身具において、前記接続部品の段差面は、前記接続部品の軸部分が前記第１および前記第２の装飾部品の内部空間内に収納されたときに、前記第１および前記第２の装飾部品の外側表面に対してわずかな隙間を開けて対向することを特徴としている。
【００１３】
また、請求項４に記載した手段は、請求項１乃至３のいずれかに記載した装身具において、前記雌側連結部品は、その中心部に挿通孔を有した環状に形成され、かつ前記雄側連結部品は、前記雌側連結部品の挿通孔内に同軸に挿通される円柱状の本体部分と、前記本体部分の挿通方向後側の端部に同軸に固定された前記本体部分よりも直径の大きい円盤部分とを有することを特徴としている。
【００１４】
また、請求項５に記載した手段は、請求項４に記載した装身具において、前記円盤部分には、その軸線に対して半径方向外側に延びるレバーが固定されていることを特徴としている。
【００１５】
また、請求項６に記載した手段は、請求項５に記載した装身具において、前記レバーには、前記接続部品の軸部分が同軸に接続されていることを特徴としている。
【００１６】
すなわち、本発明に係る装身具においては、装飾部品および連結部品がそれぞれ上側部材と下側部材とに２分割されているため、接続部品の軸部分を装飾部品および連結部品の内部に容易に収納することができる。また、接続部品の軸部分が装飾部品および連結部品の内部に収納されると、接続部品が装飾部品および連結部品から分離することがない。これにより、装飾部品および連結部品に接続部品を接続する作業を極めて容易に行うことができるから、本発明の装身具はその生産性を大幅に向上させることができる。
一方、接続部品の軸部分が装飾部品および連結部品の内部に収納されており、外部から見ることはできない。また、接続部品の連設部分が本体部分よりも幅狭に形成されているので、装飾部品および連結部品に形成する挿通部を小さくすることができる。これにより、本発明の装身具の外観品質を向上させることができる。
他方、接続部品の軸部分を装飾部品および連結部品の内部に収納すると、接続部品はその軸部分の軸線回りに容易に揺動することができる。このとき、装飾部品および連結部品に形成する挿通部は、接続部品の揺動を案内する。また、装飾部品および連結部品が正面を向く方向の軸線に対して接続部品の軸部分の軸線が平行に延びるときには、接続部品は装飾部品および連結部品が正面を向く方向の軸線の回りに揺動するから、この接続部分において装身具は横折れのみ可能となる。これに対して、装飾部品および連結部品が正面を向く方向の軸線に対して接続部品の軸部分の軸線が垂直に延びるときには、接続部品は装飾部品および連結部品が正面を向く方向の軸線が延びる方向に揺動するから、この接続部分において装身具は縦折れのみ可能となる。
なお、装飾部品および連結部品の内部空間であって接続部品の軸部分を収納する部分の形状を適切に設定することにより、接続部品の内部空間内で軸部分が倒れることを防止できる。
また、装飾部品および連結部品に設ける挿通部の寸法を接続部品の連設部分の寸法に近づけることにより、挿通部と接続部品の連設部分との間の隙間を狭くして、接続部品の揺動を正確に案内することもできる。
【００１７】
また、本発明に係る装身具においては、着用したときに胸の部分で上下方向に湾曲する部分となる接続体の長手方向中央部が横折れのみ可能となるので、装飾部品に設けた装飾体が下方を向くことを防止して常に身体に対して水平方向前方に向けることができる。
これに対して、着用したときに首の周囲および肩の上に位置する部分となる接続体の両端部が縦折れのみ可能となるので、装飾部品に設けた装飾体を常に首および肩の表面に対して垂直方向外側に向けることができる。
【００１８】
また、本発明に係る装身具によれば、接続部品の段差面と装飾部品若しくは連結部品の外側表面との間の隙間を狭くして、本発明の装身具の外観品質をさらに向上させることができる。
なお、接続部品の段差面が装飾部品若しくは連結部品の外側表面上を摺動するようにすれば、接続部品の揺動をより一層正確に案内することもできる。
【００１９】
また、本発明に係る装身具によれば、装飾部品および連結部品の組立をより一層容易なものとして、本発明の装身具の生産性をさらに向上させることができる。
【００２０】
また、本発明に係る装身具によれば、挿通部が下側部材にのみ形成されているから、装飾部品および連結部品を正面側から見たときに挿通部を目視することができず、本発明の装身具の外観品質をより一層向上させることができる。
また、接続部品の揺動方向に合わせて挿通部の形状が異なるので、装飾部品の下側部材は少なくとも２種類設ける必要がある。しかし、挿通部を設けないために形状に差のない上側部材は、複数の装飾部品において共用することができるから、本発明の装身具の生産性をさらに向上させることができる。
【００２１】
また、本発明に係る装身具によれば、環状の雌側連結部品の挿通孔内に円柱状の雄側連結部品を挿通して両者を連結する構造であるから、両連結部品を片手でも容易に連結することができる。
【００２２】
また、本発明に係る装身具によれば、雄側連結部品の底部に大径の円盤部分が固定されているので、雌側連結部品の挿通孔内に雄側連結部品を挿通するために雄側連結部品の底部を指で押すときに、指が痛くなることがない。
なお、円柱状本体部分の底部において、円柱状本体部分の外側表面の全周にわたってフランジを立設しても同じ効果を得ることができる。
【００２３】
また、本発明に係る装身具によれば、雄側連結部品の底部に接続部品を揺動自在に接続するのではなく、半径方向外側に延びるレバーを固定するので、このレバーを指でつまむことにより、雄側連結部品を雌側連結部品に対して容易に組み付けることができる。
【００２４】
【発明の実施の形態】
以下、本発明に係る装身具の一実施形態としてのネックレスおよび他の実施形態としてのブレスレットについて、図１乃至図１１を参照して詳細に説明する。
なお、以下の説明においては、同一の部分には同一の符号を用いる。
また、装飾体を正面から見る方向を上下方向（軸線方向）、ネックレスが延びる方向を長手方向（前後方向）、ネックレスを着用したときに身体の表面と平行となる方向を左右方向と言う。
【００２５】
まず最初に図１〜図１０を参照し、本発明に係る装身具の一実施形態であるネックレス１００について説明する。
【００２６】
図１に示したネックレス１００は、ダイヤモンド（装飾体）２１を保持した各装飾部品２０Ａ，２０Ｂと棒状に延びる各接続部品３０，４０，５０とを交互に接続して一本の紐状に形成するとともに、その両端部に雌雄一対のクラスプ（連結部品）６０，７０をそれぞれ接続したものである。
なお、装飾部品や接続部品および雌雄一対のクラスプは、それぞれシルバー、ゴールド、プラチナ等の貴金属を主な素材として製造される。
【００２７】
図２は、雌雄一対のクラスプ６０，７０を互いに連結してネックレス１００を環状に保持した状態におけるクラスプ６０，７０の近傍部分、すなわち図１２におけるＡ部の要部を拡大して示している。
この部分においては、雌クラスプ６０に第１の接続部品３０を介して第１の装飾部品２０Ａが接続され、かつ雄クラスプ７０にも第１の装飾部品２０Ａが接続されている。
【００２８】
図３に示したように、第１の装飾部品２０Ａはダイヤモンド２１を保持した上側部材２２と下側部材２３とを組み合わせることにより中空ドーナツ状に形成された部品で、その内側には内部空間２４が形成されている。
上側部材２２には、ダイヤモンド２１を保持するためのかしめ用フランジ２２ａと、下側部材２３との接合に用いる雌ねじ２２ｂとが形成されている。
下側部材２３には、上側部材２２の雌ねじ２２ｂと螺合する雄ねじ２３ａと、前後一対の切り欠き（挿通部）２３ｂが形成されている。
切り欠き２３ｂは、図３（ｂ）において図示上下方向に延びるこの装飾部品２０Ａの軸線に対して半径方向外側に延びるとともに、その内幅寸法はＷ１に定められている。
また、上側部材２２と下側部材２３の外周部は段違いに噛み合っており、この装飾部品２０Ａの外側から内部空間２４が見えないようになっている。
【００２９】
図４に示したように、雌クラスプ６０は雄クラスプ７０を受け入れるための挿通孔６１をその中心部分に有した環状の部品で、上側部材６２と下側部材６３とを組み合わせることにより中空ドーナツ状に形成されている。
上側部材６２および下側部材６３により形成される内部空間６５内には、雄クラスプ７０を着脱自在に係止するためのディスク６４が収納されている。
このディスク６４は、雄クラスプ７０と係合する係合部６４ａが挿通孔６１内に臨むように図示されない板ばねによって付勢されているが、ボタン６４ｂを押すことによりディスク６４を後退させて係合部６４ａを内部空間６５内に退避させて、雄クラスプ７０との係合を解除することができる。
また、下側部材６３には、図４（ｂ）において図示上下方向に延びるこの雌クラスプ６０の軸線に対して半径方向外側に延びる前後一対の切り欠き（挿通部）６６，６７が形成されている。
一方の切り欠き６６は第１の接続部品３０を受け入れるためのもので、その内幅寸法はＷ１に定められている。
他方の切り欠き６７は雄クラスプ７０を受け入れるためのもので、その内幅寸法は一方の切り欠き６６のそれよりも小さい。
【００３０】
図２に示したように、雄クラスプ７０は、雌クラスプ６０の挿通孔６１内に同軸に挿通される円柱状の本体部分７１の上端部にダイヤモンド７２を保持したものである。
本体部分７１の外側表面には、上述したディスク６４の係合部６４ａと係合可能な凹溝７３が全周にわたって凹設されている。
本体部分７１の下端部には、本体部分７１よりも直径の大きい円盤部分７４が固定されている。これにより、この雄クラスプ７０を雌クラスプ６０の挿通孔６１内に挿通するために本体部分７１の下端部を指で押しても、指が痛くなることがない。
さらに、本体部分７１の下端部には、本体部分７１の軸線に対して半径方向外側に延びるレバー７５が固定されている。そして、このレバー７５の先端には、第１の接続部品３０を長手方向中央部で２つに切断した片側半分３５が一体に鑞付けされている。
これにより、この雄クラスプ７０を雌クラスプ６０に組み付ける際には、本体部分７１に対して相対変位不能に固定されたレバー７５および第１の接続部品３０の片側半分３５を指で挟むことにより、本体部分７１を雌クラスプ６０の挿通孔６１内に挿通する作業を極めて容易に行うことができる。
【００３１】
図５に示したように、第１の接続部品３０は、棒状に延びる本体部分３１と、この本体部分３１の両端部からそれぞれ連設された本体部分３１よりも左右方向に幅狭の一対の連設部分３２を有している。
なお、連設部分３２の左右方向の外幅寸法Ｗ２の値は、装飾部品２０Ａおよび雌クラスプ６０に形成された挿通部の内幅寸法Ｗ１の値よりもわずかに小さい。
また、連設部分３２の先端には、本体部分３１の長手方向軸線に対して垂直でかつ左右方向に延びる一対の軸部分３３がそれぞれ突設されている。
なお、これらの軸部分３３の寸法は、装飾部品２０Ａおよび雌クラスプ６０の内部空間２４，６５内において装飾部品２０Ａおよび雌クラスプ６０の軸線に対して垂直な方向に延びることができるように設定されている。
【００３２】
第１の接続部品３０を第１の装飾部品２０Ａに組み付ける際には、まず最初に第１の装飾部品２０Ａを上側部材２２と下側部材２３とに分離する。
次いで、第１の接続部品３０の連設部分３２を下側部材２３に形成された挿通部２３ｂ内に遊嵌させつつ、第１の接続部品３０の軸部分３３を下側部材２３の内部に収納する。
その後、下側部材２３に上側部材２２を被せつつ回転させると、上側部材２２の雌ねじ２２ｂと下側部材２３の雄ねじ２３ａとが螺合するから、両者を極めて容易に一体に組み付けることができる。
【００３３】
両者を組み付けた後の状態においては、第１の接続部品３０の軸部分３３が第１の装飾部品２０Ａの内部空間２４内に収納されているので、第１の接続部品３０が第１の装飾部品２０Ａから分離することはなく、かつ第１の装飾部品２０Ａの外側からは軸部分３３は全く見えない。
さらに、第１の接続部品３０は、その連設部分３２が下側部材２３の挿通部２３ｂ内に嵌装されているので、その軸部分３３の軸線回りに滑らかにガタつくこと無く上下方向に揺動することができる（図３（ｂ）参照）。
また、第１の接続部品３０の段差面３１ａが、第１の装飾部品２０Ａの外側表面に対してわずかな隙間を開けて対向しているので、第１の装飾部品２０Ａに設けた挿通部２３ｂの大半が隠れており、第１の装飾部品２０Ａの外側からはほとんど見えない。
【００３４】
第１の接続部品３０を雌クラスプ６０に組み付ける際には、まず最初に雌クラスプ６０を上側部材６２と下側部材６３とに分離する。次いで、第１の接続部品３０の連設部分３２を下側部材６３に形成された挿通部６６内に嵌装させつつ、第１の接続部品３０の軸部分３３を下側部材６３の内部に収納する。
その後、下側部材６３にディスク６４を組み付けるとともに、図示されないねじ部品を用いて上側部材６２を下側部材６３に組み付けることにより、第１の接続部品３０を雌クラスプ６０に対して極めて容易に組み付けることができる。
【００３５】
両者を組み付けた後の状態においては、第１の接続部品３０の軸部分３３が雌クラスプ６０の内部空間６５内に収納されているので、第１の接続部品３０が雌クラスプ６０から分離することはなく、かつ雌クラスプ６０の外側からは軸部分３３は全く見えない。
さらに、第１の接続部品３０は、その連設部分３２が下側部材６３の挿通部６６内に嵌装されているので、その軸部分３３の軸線回りに滑らかにガタつくこと無く上下方向に揺動することができる（図４（ｂ）参照）。
また、第１の接続部品３０の段差面３１ａが、雌クラスプ６０の外側表面に対してわずかな隙間を開けて対向しているので、雌クラスプ６０に設けた挿通部６７の大半が隠れて雌クラスプ６０の外側からはほとんど見えない。
【００３６】
すなわち、第１の接続部品３０は、その軸部分３３が第１の装飾部品２０Ａおよび雌クラスプ６０の軸線に対して垂直に左右方向に延びるので、第１の装飾部品２０Ａおよび雌クラスプ６０に対して上下方向にのみ揺動することができる。
これにより、本実施形態のネックレス１００は、雌雄一対のクラスプ６０，７０の近傍においては図２に示したように縦折れのみ可能となるため、第１の装飾部品２０Ａに設けたダイヤモンド２１および雄クラスプ７０に設けたダイヤモンド７２を、常に首および肩の表面に対して垂直方向外側に向けることができる。
【００３７】
図６は、本実施形態のネックレス１００の長手方向の中央部分、すなわち図１２におけるＢ部の要部を拡大して示している。
この部分においては、第２の装飾部品２０Ｂと第２の接続部品４０とが交互に接続されている。
【００３８】
図７に示した第２の装飾部品２０Ｂは、図３に示した第１の装飾部品２０Ａの下側部材２３を下側部材２５に交換した物である。
すなわち、第１および第２の装飾部品２０Ａ，２０Ｂは、接続部材の連設部分を嵌装する挿通部が下側部材２３，２５にのみ設けられているため、上側部材２２を共用して部品点数を減少させて製造コストを低減することができる。
下側部材２５には、前後一対の切り欠き（挿通部）２５ｂが形成されている。これらの切り欠き２５ｂは、図８に示したように上側部材２２と噛み合う部分に形成されており、かつこの装飾部品２０Ｂの軸線に対して円周方向に延びている。
なお、上側部材２２と下側部材２５の外周部は段違いに噛み合っており、この装飾部品２０Ｂの外側から内部空間２４が見えないようになっている。
【００３９】
図９に示したように、第２の接続部品４０は、棒状に延びる本体部分４１と、この本体部分４１の両端部からそれぞれ連設された本体部分４１よりも上下方向に幅狭の一対の連設部分４２を有している。
なお、連設部分４２の上下方向の厚み寸法Ｗ４の値は、第２の装飾部品２０Ｂに形成された切り欠き２５ｂの深さ寸法Ｗ３（図７参照）の値よりもわずかに小さい。
また、連設部分４２の先端には、本体部分４１の長手方向軸線に対して垂直でかつ上下方向に延びる一対の軸部分４３がそれぞれ突設されている。
なお、これらの軸部分４３の寸法は、第２の装飾部品２０Ｂの内部空間２４内において第２の装飾部品２０Ｂの軸線と平行な方向に延びることができるように設定されている。
【００４０】
第２の接続部品４０を第２の装飾部品２０Ｂに組み付ける際には、まず最初に第２の装飾部品２０Ｂを上側部材２２と下側部材２５とに分離する。
次いで、第２の接続部品４０の連設部分４２を下側部材２５に形成された切り欠き２５ｂ内に嵌装させつつ、第２の接続部品４０の軸部分４３を下側部材２５の内部に収納する。
その後、下側部材２５に上側部材２２を被せつつ回転させると、上側部材２２の雌ねじ２２ｂと下側部材２５の雄ねじ２５ａとが螺合するから、両者を極めて容易に一体に組み付けることができる。
【００４１】
両者を組み付けた後の状態においては、第２の接続部品４０の軸部分４３が第２の装飾部品２０Ｂの内部空間２４内に収納されているので、第２の接続部品４０が第２の装飾部品２０Ｂから分離することはなく、かつ第２の装飾部品２０Ｂの外側からは軸部分４３は全く見えない。
さらに、第２の接続部品４０は、その連設部分４２が下側部材２５の挿通部２５ｂ内に嵌装されているので、その軸部分４３の軸線回りに滑らかにガタつくこと無く左右方向に揺動することができる（図８参照）。
また、第２の接続部品４０の段差面４１ａが、第２の装飾部品２０Ｂの外側表面に対してわずかな隙間を開けて対向しているので、第２の装飾部品２０Ｂに設けた挿通部２５ｂの大半が隠れており、第２の装飾部品２０Ｂの外側からはほとんど見えない。
【００４２】
すなわち、第２の接続部品４０は、その軸部分４３が第２の装飾部品２０Ｂの軸線に対して平行に上下方向に延びるているので、第２の装飾部品２０Ｂに対して左右方向にのみ揺動することができる。
これにより、本実施形態のネックレス１００は、その長手方向中央部においては図６に示したように横折れのみ可能となるため、第２の装飾部品２０Ｂに設けたダイヤモンド２１が着用時に下方を向くことを防止して常に身体に対して水平方向前方に向けることができる。
【００４３】
次に、図１０を参照して第３の接続部品５０について説明する。
この第３の接続部品５０は、図１に示したように第１の装飾部品２０Ａと第２の装飾部品２０Ｂとを接続するためのものである。
図１０に示したように、図示左側半分は第１の接続部品３０と同一であり、かつ図示右側半分は第２の接続部品４０と同一である。
これにより、図１２に示したＡ部とＢ部との境界部分に位置する、第１の装飾部品２０Ａと第２の装飾部品２０Ｂとを接続することができる。
【００４４】
さらに図１１を参照し、本発明に係る装身具の他の実施形態であるブレスレット２００について説明する。
ブレスレットは手首の回りに巻き付けるものであるから、ネックレスと異なり、全体的に縦折れのみが可能であれば良い。
これにより、このブレスレット２００は、第１の装飾部品２０と第１の接続部品３０とを交互に接続して接続体を形成するとともに、その両端部に雌雄一対のクラスプ６０，７０を接続した構造となっている。
そして、その外観品質および生産性の高さは前述したネックレス１００と同一である。
【００４５】
以上、本発明に係る装身具の各実施形態ついて詳しく説明したが、本発明は上述した実施形態によって限定されるものではなく、種々の変更が可能であることは言うまでもない。
例えば、雄クラスプ７０を、雌クラスプ６０と全く同様に上側部材と下側部材とから構成するとともに、第１の接続部品３０の一端を直接組み付ける構造とすることもできる。
【００４６】
【発明の効果】
以上の説明から明らかなように、本発明の装身具においては、装飾部品および連結部品がそれぞれ上側部材と下側部材とに２分割されているため、接続部品の軸部分を装飾部品および連結部品の内部に容易に収納することができる。これにより、装飾部品および連結部品と接続部品との接続作業を極めて容易に行うことができるから、本発明の装身具はその生産性を大幅に向上させることができる。
さらに、接続部品の軸部分が装飾部品および連結部品の内部に収納されており、外部から見ることはできない。また、接続部品の連設部分が本体部分よりも幅狭に形成されているので、装飾部品および連結部品に形成する挿通部を小さくすることができる。また、接続部品の段差面と装飾部品若しくは連結部品の外側表面との間の隙間を狭くすることにより、接続部品の連設部分および装飾部品の挿通部を隠すことができるから、本発明の装身具はその外観品質を大幅に向上させることができる。
加えて、接続部品の軸部分を装飾部品および連結部品の内部に収納すると、接続部品は軸部分の軸線回りに揺動することができる。このとき、装飾部品および連結部品が正面を向く方向の軸線に対して、接続部品の軸部分の軸線が平行に延びるときには横折れのみ可能となり、接続部品の軸部分の軸線が垂直に延びるときには縦折れのみ可能となる。これにより、本発明の装身具においては、装飾部品および連結部品に接続する接続部品を変更することにより、縦折れおよび横折れを容易に変更することができる。特にネックレスの場合には、着用したときに胸の前方で上下方向に湾曲する部分を横折れのみ可能とすることにより、装飾部品に設けた装飾体が下方を向くことを防止して常に身体に対して前側水平方向に向けることができる。
【図面の簡単な説明】
【図１】本発明に係る一実施形態の装身具であるネックレスを示す平面図（ａ）および側面図（ｂ）。
【図２】環状に保持したネックレスのクラスプ近傍部分を示す平面図（ａ）および縦断面図（ｂ）。
【図３】図２中に示した第１の装飾部品を示す平面図（ａ）と縦断面図（ｂ）および底面図（ｃ）。
【図４】図２中に示した雌クラスプを示す平面図（ａ）と縦断面図（ｂ）および底面図（ｃ）。
【図５】図２中に示した第１の接続部品を示す正面図（ａ）、平面図（ｂ）、底面図（ｃ）および右側面図（ｃ）。
【図６】環状に保持したネックレスの長手方向中央部を示す平面図（ａ）および縦断面図（ｂ）。
【図７】図６中に示した第２の装飾部品を示す縦断面図。
【図８】図７に示した装飾部品の下側部材を示す平面図。
【図９】図６中に示した第２の接続部品を示す正面図（ａ）、平面図（ｂ）、底面図（ｃ）および右側面図（ｄ）。
【図１０】図１中に示した第３の接続部品を示す正面図（ａ）、平面図（ｂ）、底面図（ｃ）、左側面図（ｄ）および右側面図（ｅ）。
【図１１】本発明に係る第２実施形態の装身具であるブレスレットを示す平面図（ａ）および側面図（ｂ）。
【図１２】実開平３−６４０１３号公報に開示されているネックレスを示す正面図。
【図１３】図１２に示したネックレスの縦折れ機構を示す要部破断側面図。
【図１４】図１２に示したネックレスの横折れ機構を示す水平断面図。
【図１５】特開２０００−７００１８号公報に開示されているネックレスを示す正面図（ａ）と平面図（ｂ）および右側面図（ｃ）。
【符号の説明】
１  実開平３−６４０１３号公報に開示されているネックレス
２  円盤状保持部材
３  装飾体
４  連結部品
５  止め金
６  係止孔
７  ポスト
１０  特開２０００−７００１８号公報に開示されているネックレス
１１  本体部分
１２  連結部材
１３，１４  側壁
１５  挿通部
１６  突起片
２０Ａ  第１の装飾部品
２０Ｂ  第２の装飾部品
２１  装飾体
２２  上側部材
２２ａ  雌ねじ
２３  下側部材
２３ａ  雄ねじ
２３ｂ  切り欠き（挿通部）
２４  内部空間
２５  下側部材
２５ｂ  切り欠き（挿通部）
３０  第１の接続部品
３１  本体部分
３１ａ  段差面
３２  連設部分
３３  軸部分
４０  第２の接続部品
４１  本体部分
４１ａ  段差面
４２  連設部分
４３  軸部分
５０  第３の接続部品
５１  本体部分
５１ａ  段差面
５２，５４  連設部分
５３，５５  軸部分
６０  雌クラスプ（連結部品）
６１  挿通孔
６２  上側部材
６３  下側部材
６４  ディスク
６５  内部空間
６６  切り欠き（挿通部）
６７  切り欠き
７０  雄クラスプ（連結部品）
７１  本体部分
７２  装飾体
７３  凹溝
７４  円盤部分
７５  レバー
１００  ネックレス
２００  ブレスレット
【図１】
0003572041.tif 000002
【図２】
0003572041.tif 000003
【図３】
0003572041.tif 000004
【図４】
0003572041.tif 000005
【図５】
0003572041.tif 000006
【図６】
0003572041.tif 000007
【図７】
0003572041.tif 000008
【図８】
0003572041.tif 000009
【図９】
0003572041.tif 000010
【図１０】
0003572041.tif 000011
【図１１】
0003572041.tif 000012
【図１２】
0003572041.tif 000013
【図１３】
0003572041.tif 000014
【図１４】
0003572041.tif 000015
【図１５】
0003572041.tif 000016